(57)【要約】【課題】データを読み出しにくい光ディスクからであっても、読み出し不可となったりあるいは読み出しに時間がかかってしまうことを防止し、確実且つ迅速にデータの読み出しを行なえる光ディスク装置を提供する。【解決手段】光ピックアップ１９と、フォーカスエラー信号を生成するフォーカスエラー信号生成手段４０と、フォーカスエラー信号に基づいて、光ピックアップ１９内の対物レンズ３２の光ディスク１０との距離を一定に保つように制御するフォーカスサーボ手段３８とを具備する光ディスク装置３０において、光ディスク１０のイニシャライズ時またはデータ読み出し中にフォーカスエラー信号の大きさを測定し、測定したフォーカスエラー信号の大きさが予め設定された閾値を越えたと判断した場合には、レーザ光強度を上昇させるように制御するレーザ出力制御手段４２を具備する。【選択図】        図１
2004280925.tif 000002
【特許請求の範囲】
【請求項１】
光ディスクからデータを読み出すために、光ディスクへ読み出し用のレーザ光を照射する光ピックアップと、
光ディスクから反射された反射光からフォーカスエラー信号を生成するフォーカスエラー信号生成手段と、
前記フォーカスエラー信号に基づいて、光ピックアップ内の対物レンズを移動させ、対物レンズと光ディスクの記録面との距離を一定に保つように制御するフォーカスサーボ手段とを具備する光ディスク装置において、
光ディスクのイニシャライズ時またはデータ読み出し中に前記フォーカスエラー信号の大きさを測定し、該測定したフォーカスエラー信号の大きさが予め設定された閾値を越えたと判断した場合には、レーザ光強度を上昇させるように制御するレーザ出力制御手段を具備することを特徴とする光ディスク装置。
【発明の詳細な説明】
【０００１】
【発明の属する技術分野】
本発明は、データの読み出し時におけるデータ読み出し不良や読み出し速度の低下を防止する光ディスク装置に関する。
【０００２】
【従来の技術】
一般に市販されている光ディスクには平面度が正確にでていなかったり、反射膜に塗布ムラが生じたりしているもの等、雑に製造された粗悪なものも存在する。
【０００３】
なお、光ピックアップ内の対物レンズはフォーカスを合わせるために光ディスクに対して接離動する方向（上下方向）に移動可能に設けられているが、通常は対物レンズの移動はフォーカスサーボ手段により、対物レンズと光ディスクとの間が一定距離に保たれるように制御されている。
しかし、上記のような粗悪ディスクからデータを読み出す際には対物レンズの振れが大きくなりすぎてしまい、フォーカスサーボが効かなくなって読み出しエラーが生じることもあった。
【０００４】
近年、特に読み出し速度（例えば、２４倍速、４０倍速といった倍速のことであり、予め段階的に決められている）が高速化している現状において、スピンドルモータによる光ディスクの回転速度が上昇しているので、粗悪とはいえないまでもわずかに平面度が良好ではなかったり、反射膜の塗布ムラがわずかにあるだけであっても、フォーカスサーボが効かなくなって読み出しエラー生じ、データの読み出しができなくなるおそれが生じている。
【０００５】
なお、このような読み出しエラーに対しては、リトライ再生を繰り返し行ない、その都度読み出し速度を段階的に遅くするような処理が行なわれている場合もある（例えば、特許文献１参照）。
【０００６】
【特許文献１】
特開平１１−２３２８０１号公報（（０００２）、（０００３）等）
【０００７】
【発明が解決しようとする課題】
従来、粗悪ディスクからデータを読み出そうとしても、読み出しができなくなるか、あるいは特許文献１に示されているように何度もリトライをして読み出すことにより読み出しに時間がかかってしまうという課題があった。
【０００８】
本発明は上記課題を解決すべくなされ、その目的とするところは、データを読み出しにくい光ディスクからであっても、読み出し不可となったりあるいは読み出しに時間がかかってしまうことを防止し、確実且つ迅速にデータの読み出しを行なえる光ディスク装置を提供することにある。
【０００９】
本発明者は、特に平面度がでていなかったり、反射膜に塗布ムラがあるような粗悪ディスクにおいてフォーカスサーボが効かなくなって読み出しエラーが生じるのは、フォーカスサーボ手段に入力されるフォーカスエラー信号が突発的に大きくなる現象（本明細書中ではフォーカスエラー信号の暴れと称する場合もある）が一定周期おきに発生することが原因であることを見出した。
そこで、フォーカスエラー信号をモニタリングすることで、フォーカスエラー信号が所定の閾値を越えた場合に、読み出しが確実に行なわれるような対応をすることで読み出しエラーの防止が図れるのではないかと考え、本発明に想到した。
【００１０】
【課題を解決するための手段】
本発明にかかる光ディスク装置によれば、光ディスクからデータを読み出すために、光ディスクへ読み出し用のレーザ光を照射する光ピックアップと、光ディスクから反射された反射光からフォーカスエラー信号を生成するフォーカスエラー信号生成手段と、前記フォーカスエラー信号に基づいて、光ピックアップ内の対物レンズを移動させ、対物レンズと光ディスクの記録面との距離を一定に保つように制御するフォーカスサーボ手段とを具備する光ディスク装置において、光ディスクのイニシャライズ時またはデータ読み出し中に前記フォーカスエラー信号の大きさを測定し、該測定したフォーカスエラー信号の大きさが予め設定された閾値を越えたと判断した場合には、レーザ光強度を上昇させるように制御するレーザ出力制御手段を具備することを特徴としている。
【００１１】
この構成により、フォーカスエラー信号が大きくなったときにレーザ光強度を上げるように制御することができる。すなわち、読み出し用のレーザ光強度を上げることにより、光ディスクからの反射光強度（戻り光強度）も上昇する。すると、反射光からフォーカスエラー信号を生成しているフォーカスエラー信号生成手段で生成されるフォーカスエラー信号自体が大きくなる。このため、フォーカスサーボのループゲインが上がり、フォーカスサーボ手段における対物レンズの移動の抑圧量が増加する。
このため、粗悪なディスク等からデータを読み出す際に、フォーカスエラー信号が暴れてしまう様な場合でも、ループゲインを上げたために、その暴れを抑え、対物レンズの移動を光ディスクに追従させることができる。
したがって、粗悪なディスク等からデータを読み出す場合でも、フォーカスサーボが追従できなくなることが原因の読み出しエラーを生じさせないようにすることができる。
【００１２】
【発明の実施の形態】
以下、本発明の好適な実施の形態を添付図面に基づいて詳細に説明する。
まず、図１に光ディスク装置の内部構造についてのブロック図を示し、これに基づいて本実施形態の構成を、それらの動作と共に説明する。
光ディスク装置３０は、光ディスク１０に照射するレーザ光を発振するレーザダイオード（ＬＤ）１６および光ディスク１０からの反射光を受けるフォトディテクタ（ＰＤ）１８を有する光ピックアップ１９を具備している。
【００１３】
光ピックアップ１９は、光ディスク１０のトラッキング方向へ光ピックアップ１９を移動させる送り機構（図示せず）によって移動可能に設けられている。送り機構は、光ピックアップ１９がスライド可能に支持されているスレッド軸（図示せず）や送りモータ（図示せず）等から構成される。
【００１４】
また、光ピックアップ１９の内部には、レーザー光を発振するレーザダイオード１６から発振されたレーザー光を絞ってトラックに照射する対物レンズ３２が設けられている。
対物レンズ３２は、フォーカス方向（図面上下方向）およびトラッキング方向（図面左右方向）に移動可能となるようにアクチュエータ３５によって支持されている。
【００１５】
アクチュエータ３５には、フォーカスコイル３６が設けられ、フォーカスコイル３６によって対物レンズ３２が光ディスク１０との距離が一定に保たれるように上下動する。
また、アクチュエータ３５には図示しないトラッキングコイルによって対物レンズ３２が光ディスク１０上のトラックを追尾可能となる。
【００１６】
具体的な構造を説明すると、フォーカスコイル３６は、その磁束が光ディスク１０の記録面に対して直交する方向に向くように形成されている。フォーカスコイル３６の上方または下方には、図示しない永久磁石がフォーカスコイル３６に対して移動可能となるように設けられている。この永久磁石はフォーカスコイル３６で生じる磁束を受け、対物レンズ３２を移動させる。したがって、フォーカスコイル３６に流れる電流を制御することによって、対物レンズ３２が光ピックアップ１９内で光ディスク１０に対して接離動可能となる。
フォーカスコイル３６にはサーボプロセッサ３８（特許請求の範囲でいうフォーカスサーボ手段）が接続されており、サーボプロセッサ３８がフォーカスコイル３６へ流れる電流を制御する。
【００１７】
光ディスク１０は、スピンドルモータ２２の回転軸に設けられたターンテーブル上に載置され、スピンドルモータ２２の駆動によって回転する。
スピンドルモータ２２の回転はサーボプロセッサ３８によって制御される。
【００１８】
上述したサーボプロセッサ３８は、光ディスク１０から反射してきた反射光の強度信号からＲＦアンプ４０によって生成されたエラー信号（フォーカスサーボを制御する場合にはフォーカスエラー信号、トラッキングサーボを制御する場合にはトラキングエラー信号）、およびＣＰＵ（図示せず）によって制御される。すなわち、本実施形態のＲＦアンプ４０が特許請求の範囲のフォーカスエラー信号生成手段に該当する。
サーボプロセッサ３８、サーボプロセッサ３８によって制御されたフォーカスコイル３６、反射光を受光するフォトディテクタ１８、フォーカスエラー信号を生成するＲＦアンプ４０等によってサーボループが形成される。
【００１９】
レーザダイオード１６には、レーザダイオード１６を駆動するための駆動電流を供給する駆動回路４４が接続されている。
駆動回路４４には、フォトディテクタ１８で受光された光ディスクからの反射光をモニタ信号として受け、モニタ信号をサンプルホールドするサンプルホールド（Ｓ／Ｈ）回路４６が接続されている。
サンプルホールド回路でサンプルホールドされたモニタ信号が入力されることで閉ループが形成され、駆動回路４４によってレーザダイオード１６が安定して駆動される。
【００２０】
駆動回路４４には、判定回路４８が接続されている。判定回路４８にはＲＦアンプ４０で生成されたフォーカスエラー信号が入力されている。
判定回路４８には、予めフォーカスエラー信号の閾値を記憶してある記憶手段５０が接続されている。
判定回路４８では、入力されたフォーカスエラー信号の値をモニタリングし、記憶手段５０内に記憶されている閾値と比較する。判定回路４８は、入力されたフォーカスエラー信号の値が閾値を越えたと判断した場合には、駆動回路４４に対してレーザ光強度を上昇させるように制御することが可能に設けられている。具体的には、判定回路４８は駆動回路４４に印加されている基準電圧値を上げることによってレーザ光強度を上昇させることができる。
【００２１】
上述した判定回路４８は具体的には、ＣＰＵ等から構成され、予め設定されていた制御プログラム（ファームウェア等）に基づいて動作することで実現される。
なお、上述した駆動回路４４、サンプルホールド回路４６、判定回路４８および記憶手段５０等によってレーザ出力制御手段４２が構成されている。
【００２２】
なお、レーザ出力制御手段４２における、フォーカスエラー信号のモニタリングによりレーザ光強度を上げる動作は、光ディスク１０から実際にデータを読み出している最中、または光ディスク１０を装着した際のイニシャライズ動作をした際に実行させるようにするとよい。
【００２３】
なお、ここでイニシャライズ動作について説明する。
光ディスク１０が光ディスク装置３０内に挿入されると、光ピックアップ１９が作動して光ディスク１０の種類等を検出するイニシャライズが行なわれる。イニシャライズにおいては、ディスク情報が光ディスク１０から読み出される。ディスク情報には、具体的には光ディスク１０のメーカ出荷時において予め記載されたメーカアドレス等のことをいう。かかるメーカアドレスによって光ディスク１０の種類が判明する。
【００２４】
次に、本発明の光ディスク装置におけるレーザ光強度の変更動作について、図２〜図３のフローチャートに基づいて説明する。
まず、イニシャライズ時にフォーカスエラー信号をモニタリングしてレーザ光強度を変更させる場合について説明する（図２）。
まず、ステップＳ１００で光ディスク１０が光ディスク装置３０へ挿入されると、続くステップＳ１０２においてイニシャライズ動作が行なわれる。このイニシャライズ動作時に、判定回路４８はフォーカスエラー信号をモニタリングし、フォーカスエラー信号の値と予め設定されている閾値とを比較する（ステップＳ１０４）。
【００２５】
ステップＳ１０４においてモニタリングしたフォーカスエラー信号が閾値を越えていると判定回路４８が判断した場合は、ステップＳ１０６へ移行し、判定回路４８はレーザ光強度を上昇させるように駆動回路４４を制御する。
レーザ光強度を上昇させたのち、ステップＳ１０８でデータの読み出しが行なわれる。
【００２６】
一方、ステップＳ１０４においてモニタリングしたフォーカスエラー信号が閾値を越えていないと判定回路４８が判断した場合は、レーザ光強度は変更せずにそのままの強度でステップＳ１０８へ移行してデータの読み出しが行なわれる。
【００２７】
次に、データ読み出し中にフォーカスエラー信号をモニタリングしてレーザ光強度を変更させる場合について説明する（図３）。
まず、ステップＳ２００で光ディスク１０が光ディスク装置３０へ挿入されると、続くステップＳ２０２においてイニシャライズ動作が行なわれる。
そして、光ディスク装置３０は、出荷時において設定された初期設定の値でのレーザ光強度によってデータ読み出しを開始する（ステップＳ２０４）。
【００２８】
データ読み出し中は、判定回路４８はフォーカスエラー信号を常時モニタリングし、フォーカスエラー信号の値と予め設定されている閾値とを比較する（ステップＳ２０６）。
【００２９】
ステップＳ２０６においてモニタリングしたフォーカスエラー信号が閾値を越えていると判定回路４８が判断した場合は、ステップＳ２０８へ移行し、判定回路４８はレーザ光強度を上昇させるように駆動回路４４を制御する。
その後、強度が上昇したレーザ光によってデータの読み出しが続行される。
【００３０】
一方、ステップＳ２０６においてモニタリングしたフォーカスエラー信号が閾値を越えていないと判定回路４８が判断した場合は、レーザ光強度は変更せずにそのままの強度でデータの読み出しが続行される。
【００３１】
上述したように、フォーカスエラー信号が突発的に大きくなった場合（暴れ）にレーザ光強度を上げるので、結果として戻り光強度が上昇し、フォーカスエラー信号自体が大きな値を有することとなり、フォーカスサーボのゲインが上昇する。
フォーカスサーボのゲインが上昇することにより、フォーカスサーボ手段（サーボプロセッサ３８）が対物レンズ３２の突発的な暴れであってもそれを抑え込むように抑圧量が増加する。
このため、フォーカスエラー信号の暴れに起因した読み出しエラーの防止を図れるのである。
【００３２】
以上本発明につき好適な実施例を挙げて種々説明したが、本発明はこの実施例に限定されるものではなく、発明の精神を逸脱しない範囲内で多くの改変を施し得るのはもちろんである。
【００３３】
【発明の効果】
本発明に係る光ディスク装置によれば、粗悪なディスク等からデータを読み出す場合でも、フォーカスサーボが追従できなくなることが原因の読み出しエラーを生じさせないようにすることができる。
したがって、データの読み出しを確実且つ迅速に行なうことができる。
【図面の簡単な説明】
【図１】本発明に係る光ディスク装置を説明するブロック図である。
【図２】本発明に係る光ディスク装置においてイニシャライズ時にレーザ光強度を変更する動作方法を説明するフローチャートである。
【図３】本発明に係る光ディスク装置においてデータ読み出し中にレーザ光強度を変更する動作方法を説明するフローチャートである。
【符号の説明】
１０    光ディスク
１６    レーザダイオード
１８    フォトディテクタ
１９    光ピックアップ
２２    スピンドルモータ
３０    光ディスク装置
３２    対物レンズ
３５    アクチュエータ
３６    フォーカスコイル
３８    サーボプロセッサ
４０    ＲＦアンプ
４２    レーザ出力制御手段
４４    駆動回路
４６    サンプルホールド回路
４８    判定回路
５０  記憶手段
【図１】
2004280925.tif 000003
【図２】
2004280925.tif 000004
【図３】
2004280925.tif 000005